(57)【特許請求の範囲】
【請求項１】
容器を収納可能な凹状の容器収納部を有するホルダ本体を備え、前記容器収納部は、底面および内周面から構成されたカップホルダであって、
前記容器収納部の内周面の上部に、収納された容器を押し付けて回転させる荷重を加えた場合に容器の回転を抑制する第１の滑り止め部材を設け、
前記容器収納部の内周面の上部を外周側に向けて突出させて第１の凹設部を形成し、該第１の凹設部の内周側に前記第１の滑り止め部材を設けたことを特徴とするカップホルダ。
【請求項２】
前記容器収納部の下部における、前記第１の滑り止め部材に対して容器収納部の径方向中心を挟んだ反対側の部位に、前記容器の回転を抑制する第２の滑り止め部材を設けたことを特徴とする請求項１に記載のカップホルダ。
【請求項３】
前記第２の滑り止め部材の内周面を外周側に向けて突出させることによって、第２の滑り止め部材に第２の凹設部を設けたことを特徴とする請求項２に記載のカップホルダ。
【請求項４】
前記第１の滑り止め部材を設けた部分に、容器収納部の内周側に突出する複数の小突出部を設けたことを特徴とする請求項１〜３のいずれか１項に記載のカップホルダ。
【請求項５】
容器を収納可能な凹状の容器収納部を仕切り壁を介して複数設けたホルダ本体を備え、前記容器収納部は、底面および内周面から構成されたカップホルダであって、
前記仕切り壁は上部に凹状の切欠部を有し、該切欠部に、収納された容器を押し付けて回転させる荷重を加えた場合に容器の回転を抑制する第３の滑り止め部材を設けたことを特徴とするカップホルダ。
【請求項６】
前記ホルダ本体に、容器収納部の開口部を開閉自在な蓋体を設け、
前記ホルダ本体の上端面に、前記蓋体が閉止する際に蓋体に当接する蓋受部を設け、これらの蓋受部、前記第１の滑り止め部材または第３の滑り止め部材をそれぞれ弾性材料で形成したことを特徴とする請求項１〜５のいずれか１項に記載のカップホルダ。
【発明の詳細な説明】
【技術分野】
【０００１】
本発明は、ペットボトルなどの回転式キャップを有する飲料容器を挿入して載置するカップホルダに関する。
【背景技術】
【０００２】
従来、飲料容器を収容するカップホルダには、容器収納部内に収納した容器を保持する保持手段を設け、この保持手段によって容器の回転式キャップを片手で開栓できるようにしたものが提案されている（たとえば、特許文献１参照）。
【先行技術文献】
【特許文献】
【０００３】
【特許文献１】特許第４２９６０５４号公報
【発明の概要】
【発明が解決しようとする課題】
【０００４】
しかしながら、かかる従来のカップホルダは、容器収納部のアウタ部材に対して上下動可能なインナ部材を備えている。このインナ部材は容器の重さで押し下げられることにより、周縁部に設けた係止爪がインナ部材の更に内側に設けた内筒シートを容器の側面に押し付け、これにより容器の回転方向の動きを抑制できるようになっている。
【０００５】
このため、容器収納部にはアウタ部材の他に、前述したインナ部材や内筒シートおよびインナ部材を上方に付勢する押しバネを必要とし、構成部品点数が増加して複雑な構造になるという問題があった。
【０００６】
そこで、本発明は、簡素な構造で、容器の回転式キャップを片手で開栓できるようにしたカップホルダを提供するものである。
【課題を解決するための手段】
【０００７】
本発明に係るカップホルダは、ホルダ本体に、容器を収納可能な凹状の容器収納部を設け、前記容器収納部は、底面および内周面から構成されたカップホルダであって、前記容器収納部の内周面の上部に、収納された容器を押し付けて回転させる荷重を加えた際に容器の回転を抑制する第１の滑り止め部材を設け、前記容器収納部の内周面の上部を外周側に向けて突出させて第１の凹設部を形成し、該第１の凹設部の内周側に前記第１の滑り止め部材を設けたことを最も主要な特徴とする。
【発明の効果】
【０００８】
本発明によれば、容器の側面を滑り止め部材に押し付けて回転させる荷重を加えるのみで容器の回転を抑制できる。このように、本発明に係るカップホルダによれば、簡単な構造で、片手で容器の回転式キャップを開栓することができる。
【図面の簡単な説明】
【０００９】
【図１】図１は、本発明の第１の実施形態にかかるカップホルダを示す斜視図である。
【図２】図２は、図１中I部の拡大斜視図である。
【図３】図３は、第１の実施形態のカップホルダに収納した容器を開栓する手順を（ａ）、（ｂ）に順を追って示す斜視図である。
【図４】図４は、本発明の第２の実施形態にかかるカップホルダを示す斜視図である。
【図５】図５は、図４中II部の拡大斜視図である。
【図６】図６は、第２の実施形態のカップホルダに収納した容器を開栓する状態を示す斜視図である。
【図７】図７は、本発明の第３の実施形態にかかるカップホルダを示し、（ａ）は平面図、（ｂ）は斜め上方から見た斜視図、（ｃ）は側面図である。
【図８】図８は、第３の実施形態のカップホルダに収納した容器を開栓する状態を示す斜視図である。
【図９】図９は、本発明の第４の実施形態にかかるカップホルダを示す斜視図である。
【図１０】図１０は、図９中III部の拡大斜視図である。
【図１１】図１１は、本発明の第５の実施形態にかかるカップホルダを示す斜視図である。
【図１２】図１２は、第５の実施形態の変形例にかかるカップホルダを示す斜視図である。
【発明を実施するための形態】
【００１０】
以下、本発明の実施形態について図面を参照しつつ詳細に説明する。
【００１１】
[第１の実施形態]
図１から図３は、本発明の第１の実施形態にかかるカップホルダ１を示す。このカップホルダ１は、図外の車室内のセンターコンソールやダッシュボードなどに設置され、乗員の飲料用の容器３をカップホルダ１内に載置できるようになっている。なお、カップホルダ１の設置場所は、前述したセンターコンソールやダッシュボードなどの前席乗員用に限ることなく、リヤドアのアームレストなどの後席乗員用の場所に設置することもできる。
【００１２】
カップホルダ１は、容器３（図３参照）を挿入して収納可能な凹状の容器収納部２が設けられたホルダ本体２３を有する。前記容器収納部２は、略円筒状に形成された内周面２８と、挿入した容器３を載置する底面２２とを備える。本実施形態では、開口部２１は容器収納部２の上端に設けられ、底面２２は容器収納部２の下端に設けられ、容器３を上方から開口部２１に挿入して底面２２にほぼ直立状態で載置するようになっている。
【００１３】
この容器収納部２は、容易に変形しない硬質プラスチックなどの材料で形成された直方体状のホルダ本体２３の内部を凹設することにより形成される。また、容器収納部２の内周面２８は、底面２２から開口部２１に向かって緩やかに拡径する逆円錐台形状に形成されて開口部２１が円形となっている。また、容器収納部２の内径は容器３の外側との間に適宜隙間が設けられるように、つまり、容器３を若干傾けることができるように大径に形成されている。
【００１４】
また、ホルダ本体２３の上端面２３ｂにおける一方側の端部２３ａにヒンジ４１を介して蓋体４が取り付けられ、この蓋体４によって容器収納部２の開口部２１は開閉自在となっている。
【００１５】
このとき、蓋体４は、ホルダ本体２３の上端面２３ｂの外側形状にほぼ沿った矩形状となっているが、その形状は特に限定されるものでは無い。
【００１６】
ここで、本実施形態では、図２にも示すように、内周面２８の上部のうち、ヒンジ４１とは反対側となる片側の角部Ｃの内周に、容器３の側面が押し付けられて回転させる荷重が加わった際に容器３の回転を抑制するシート状の第１の滑り止め部材５が設けられている。
【００１７】
第１の滑り止め部材５は、ゴムや軟質合成樹脂などの弾性変形に富んで表面の摩擦係数が大きな材料、例えばゴム状の弾性材料で形成され、第１の滑り止め部材５が前述の角部Ｃに対応した内周面２８の所定区間Ｌに亘って設けられる。この所定区間Ｌは、容器３を押し付けたときに、容器３の側面がより広い面積で効率よく第１の滑り止め部材５に面接触される長さに設定される。このとき、第１の滑り止め部材５を開口部２１の内周に設ける手段は特に限定されないが、予め、その内周に沿った形状に第１の滑り止め部材５を成形しておき、それを開口部２１の内周に接着することで容易に取り付けることができる。なお、本実施形態では第１の滑り止め部材５をゴム状の弾性材料で形成したが、これに限ることなく硬質であっても大きな摩擦係数を呈する材料であればよい。
【００１８】
また、蓋体４が閉止される際に、ホルダ本体２３の上端面２３ｂに蓋体４が当接されるが、本実施形態では、第１の滑り止め部材５に蓋受部６を一体に延設し、この蓋受部６をホルダ本体２３の上端面２３ｂに設けるようになっている。この蓋受部６は、ホルダ本体２３の上端面２３ｂから少し上方に突出する円柱状の突部として設けられる。
【００１９】
すなわち、本実施形態では、第１の滑り止め部材５と一体に、ホルダ本体２３の上端面２３ｂに沿ったベースシート６１と、このベースシート６１から突出する蓋受部６とを一体成形しておき、第１の滑り止め部材５およびベースシート６１とを開口部２１の内周およびホルダ本体２３の上端面２３ｂに跨って接着することにより、蓋受部２３ｂがホルダ本体２３の上端面２３ｂに設けられるようになっている。
【００２０】
従って、本実施形態のカップホルダ１では、図３（ａ）に示すように、容器収納部２に、ねじ式で回転することで開閉可能に構成された回転式キャップ３１で閉栓されたペットボトルなどの容器３が収納される。この場合、図３（ｂ）に示すように、手Ｈによって容器３を傾けて、容器３の上部側面を第１の滑り止め部材５に押し付ける。すると、容器３は、上部側面の第１の当接部Ｐ１が第１の滑り止め部材５に圧接される。このとき、容器３の底面外周の第２の当接部Ｐ２が容器収納部２の内周面２８の下端部に支持されるとともに、第２の当接部Ｐ２とは反対側の第３の当接部Ｐ３が容器収納部２の底面２２に支持された状態となる。
【００２１】
従って、容器３は、第１の当接部Ｐ１と第１の滑り止め部材５との圧接により回転方向に大きな摩擦抵抗を生じ、容器３の回転方向の動きが抑制される。このとき、容器３の第２の当接部Ｐ２と容器収納部２の内周面２８との接触による摩擦抵抗、および容器３の第３の当接部Ｐ３と底面２２との接触による摩擦抵抗も、容器３の回転を抑制する力として加えられることになる。この状態で、図３（ｂ）に示すように、手Ｈの握部分で容器３を第１の滑り止め部材５に押し付けつつ、回転式キャップ３１を回転することができる。
【００２２】
従って、片手で容器３の回転式キャップ３１を開栓することができるようになり、容器３の開栓に両手を使用する必要が無くなる。これにより、カップホルダ１を、センターコンソールやダッシュボードなどの運転席近傍に設けた場合に、運転者は片手で開栓して容器３内の飲料を飲むことができ、運転の安全性を向上することができる。
【００２３】
また、必要な量だけ飲み終わった後は、容器３を容器収納部２に挿入して、開栓時と同様に、容器３の側面を第１の滑り止め部材５に押し付けて、回転式キャップ３１を開栓時とは逆に回転することにより閉栓することができ、この場合も片手で用が足りる。
【００２４】
以上の構成により、第１の実施形態のカップホルダ１によれば、容器収納部２の開口部２１の内周に第１の滑り止め部材５を設けたので、容器収納部２に収納した容器３の側面を第１の滑り止め部材５に押し付けて回転方向の荷重を加えるのみで、片手で容器３の回転式キャップ３１を開栓または閉栓することができる。
【００２５】
このように、容器収納部２の開口部２１の内周の一部に第１の滑り止め部材５を設けるという簡単な構造であるにもかかわらず、回転式キャップ３１の開栓および閉栓を片手で行うことができる。これにより、カップホルダ１の構成部品点数を削減でき、簡単な構造にすることができる。
【００２６】
従って、カップホルダ１の部品点数が削減されることにより、生産工程が簡素化されることと相俟ってコストダウンを達成できる。また、構成部品点数の削減によってカップホルダ１の小型化が達成されることにより、センターコンソールやダッシュボードなどの限られた設置スペースに設置する場合に、そのレイアウトの自由度を増すことができる。
【００２７】
また、本実施形態によれば、カップホルダ１に容器収納部２の開口部２１を開閉する蓋体４を設けたので、容器収納部２に容器３を収納しない時は蓋体４で開口部２１を閉止しておくことにより、容器収納部２内に塵や埃が入るのを防止できる。
【００２８】
更に、本実施形態によれば、第１の滑り止め部材５をゴム状の弾性材料で形成し、その第１の滑り止め部材５から一体に延設した蓋受部６を、蓋体４が当接するホルダ本体２３の上端面２３ｂに設けた。このため、蓋受部６によって蓋体４を閉止した際の衝撃を吸収できるとともに、走行時の振動などで閉止した蓋体４とホルダ本体２３との間でビビリ音などの異音の発生を抑制できる。また、蓋体４を閉止した時に当接部分の傷付きを防止できる。また、蓋受部６は第１の滑り止め部材５に一体に延設されたので部品点数の削減が達成され、これにより更なるコストダウンを図ることができる。
【００２９】
ところで、容器収納部３の底面２２をゴム状の弾性材料で形成しておくことが好ましい。これにより、第３の当接部Ｐ３と底面２２との間に働く摩擦抵抗力をより増大することができる。このことは、以下に述べる各実施形態にあっても同様である。
【００３０】
[第２の実施形態]
図４から図６は、本発明の第２の実施形態にかかるカップホルダ１Ａを示し、第１の実施形態と同一構成部分に同一符号を付して重複する説明を省略して述べるものとする。
【００３１】
本実施形態のカップホルダ１Ａが第１の実施形態のカップホルダ１と主に異なる点は、容器収納部２の内周面の上部を外周側に向けて突出させて第１の凹設部２４を設け、該第１の凹設部２４の内周側に第１の滑り止め部材５を設けたことにある。
【００３２】
第１の凹設部２４は、開口部２１の内周の接線方向に延長される２面２４ａ、２４ｂが所定角度（本実施形態ではほぼ直角）をもって交わる形状をなしている。そして、容器収納部２の内周面２８は、第１の凹設部２４から容器収納部２の底面２２に向かって徐々に円形となるように連続して変化されている。これにより、容器収納部２の内周面２８には、第１の凹設部２４の先端（頂点）から底面２２に亘って稜線２４Ｒが形成される形状となっている。
【００３３】
また、本実施形態にあっても、第１の実施形態（図１参照）と同様に蓋体４が設けられるとともに、蓋受部６が設けられており、それら蓋体４および蓋受部６を設けた効果は第１の実施形態と同様である。
【００３４】
以上の構成により、第２の実施形態のカップホルダ１Ａによれば、開口部２１の第１の滑り止め部材５を設けた部分に第１の凹設部２４を設けたので、図６に示すように、容器３を第１の滑り止め部材５に押し付けた際に、容器３の上部側面の第１の当接部Ｐ１は２つの第１分配当接部Ｐ１′、Ｐ１″に分配され、それら第１分配当接部Ｐ１′、Ｐ１″で第１の滑り止め部材５に圧接されることになる。これにより、容器３が第１の滑り止め部材５に圧接される部分が増加して、容器３の回転を抑制する力が増大され、回転式キャップ３１を開栓または閉栓する際に容器３の回転方向の動きをより確実に阻止することができる。
【００３５】
また、この場合にあっても、第１の実施形態（図３（ｂ）参照）と同様に、容器３の下部の第２の当接部Ｐ２と容器収納部２の内周面２８との接触による摩擦抵抗、および容器３の第３の当接部Ｐ３と底面２２との接触による摩擦抵抗も容器３の回転の抑制に加えられることになる。
【００３６】
[第３の実施形態]
図７および図８は、本発明の第３の実施形態にかかるカップホルダ１Ｂを示し、第２の実施形態と同一構成部分に同一符号を付して重複する説明を省略して述べるものとする。
【００３７】
本実施形態のカップホルダ１Ｂが第２の実施形態（図４参照）のカップホルダ１Ａと主に異なる点は、容器収納部２の内周面２８の下部における、第１の滑り止め部材５とは容器収納部２の径方向中心を挟んだ反対側に、第２の滑り止め部材５Ａを設けたことにある。この第２の滑り止め部材５Ａは、容器３の底面側面が押し付けられて回転する荷重が加わった際に容器３の回転を抑制する作用を有する。
【００３８】
また、第２の滑り止め部材５Ａを設けた部分で、容器収納部２の内周面２８の下端部を外周側に向けて突出させた第２の凹設部２５を設けている。
【００３９】
第２の滑り止め部材５Ａは、第１の滑り止め部材５と同様にゴム状の弾性材料でシート状に形成され、容器３の底面側面が押し付けられることにより、容器３の回転方向に対して大きな摩擦抵抗が発生されるようになっている。なお、本実施形態にあっても、第２の滑り止め部材５Ａをゴム状の弾性材料で形成することなく、硬質であっても大きな摩擦係数を呈する材料であればよい。
【００４０】
また、第２の凹設部２５は、底面２２の内周の接線方向に延長される２面２５ａ、２５ｂが所定角度（本実施形態では直角よりもやや大きくなっている）をもって交わる形状をなしている。容器収納部２の内周面２８は、第２の凹設部２５から容器収納部２の開口部２１に向かって徐々に円形となるように連続して変化されている。これにより、容器収納部２の内周面２８は、第２の凹設部２５から開口部２１に亘って稜線２５Ｒが形成された形状となっている。
【００４１】
以上の構成により、第３の実施形態のカップホルダ１Ｂによれば、容器収納部２の内周面２８の下部で、第１の滑り止め部材５とは反対側に第２の滑り止め部材５Ａを設けた。このため、図８に示すように、容器３を第１の滑り止め部材５に押し付けて回転させる荷重を加えることによって回転式キャップ３１を開栓または閉栓する際に、容器３の底面外周の第２の当接部Ｐ２が容器収納部２の内周面２８に押し付けられることになる。このとき、第２の当接部Ｐ２は第２の滑り止め部材５Ａに圧接されるため、容器３の回転方向の動きを第１の滑り止め部材５と第２の滑り止め部材５Ａとの協働でより効率よく規制することができる。
【００４２】
また、第２の滑り止め部材５Ａを設けた部分に第２の凹設部２５を設けた。このため、図８に示すように、容器３の底面外周が第２の滑り止め部材５Ａに押し付けられた際に、第２の当接部Ｐ２は２つの第２分配当接部Ｐ２′、Ｐ２″に分配される。よって、これら第２分配当接部Ｐ２′、Ｐ２″で第２の滑り止め部材５Ａに圧接されることになる。これにより、容器３の下部が第２の滑り止め部材５Ａと圧接される部分が増加して、容器３の回転方向の規制力をより増大させることができる。
【００４３】
つまり、本実施形態では、第２の実施形態と同様に第１の凹設部２４が設けられているので、容器３を第１の滑り止め部材５に押し付けた際に、第１分配当接部Ｐ１′、Ｐ１″と、前述した第２分配当接部Ｐ２′、Ｐ２″と、第３の当接部Ｐ３との５箇所となり、容器３の回転方向の動きをより効率良く規制できることになる。
【００４４】
なお、本実施形態にあっても、第１・第２の実施形態と同様に、容器収納部２は蓋体４（図１、図４参照）で開閉自在とすることが好ましい。
【００４５】
[第４の実施形態]
図９および図１０は、本発明の第４の実施形態にかかるカップホルダ１Ｃを示し、第１の実施形態と同一構成部分に同一符号を付して重複する説明を省略して述べるものとする。
【００４６】
本実施形態のカップホルダ１Ｃが第１の実施形態（図１参照）のカップホルダ１と主に異なる点は、第１の滑り止め部材５を設けた部分に、容器収納部３の内周側に突出する複数の小突出部７を設けたことにある。この場合、第１の滑り止め部材５は、ゴム状の弾性材料で形成されている。
【００４７】
小突出部７は、第１の滑り止め部材５をゴム状の弾性材料で形成して、この第１の滑り止め部材５に一体成形される。本実施形態では、小突出部７は、第１の滑り止め部材５の内周面に周方向に沿ってほぼ等間隔に複数設けられている。
【００４８】
本実施形態で示された小突出部７は、全部で３つ設けられており、各小突出部７は、蓋受部６のベースシート６１とほぼ同一面となる半円状の頂面７ａを有し、その頂面７ａから下方に第１の滑り止め部材５の高さｈをほぼ半径とする球面をもって側面７ｂが形成されている。この場合、半円となった頂面７ａの半径は、球面となった側面７ｂの半径と略同一寸法になる。
【００４９】
このように、小突出部７は、ゴム状の弾性材料で形成された第１の滑り止め部材５と一体成形されたことにより、容器３が小突出部７に押し付けられて回転させる荷重が加わった際に大きな摩擦抵抗が発生される。なお、小突出部７の形状は、本実施形態に限ることなく容器３の側面が大きな摩擦抵抗をもって圧接できる形状であればよい。
【００５０】
なお、本実施形態のホルダ本体２３は、ヒンジ４１を介して蓋体４を取り付けた端部２３ａとは反対側が、容器収納部２の開口部２１と同心円をなす円筒面となっている。この場合、蓋体４は、その円筒面を形成したホルダ本体２３の上端面２３ｂに沿った形状となっている。
【００５１】
以上の構成により第４の実施形態のカップホルダ１Ｃによれば、第１の滑り止め部材５を設けた部分に複数の小突出部７を設けた。従って、第１の実施形態（図３（ｂ）参照）と同様に、容器３の側面を小突出部７に押し付けて回転させる荷重を加えるのみで容器３の回転方向の動きを抑制でき、片手で容器３の回転式キャップ３１を開栓または閉栓することができる。
【００５２】
更に、本実施形態では、容器３が押し付けられる部分が小突出部７であるため、容器３の押し付け力に応じて小突出部７を圧縮変形させ易くなる。従って、押し付け力が大きい場合は、小突出部７の変形量も大きくなって容器３との接触面積が増大し、その分、摩擦抵抗力も大きくなって回転方向の規制力を増すことができる。つまり、容器３の押し付け力に応じて容器３の回転を抑制する力を容易に変化させることができるため、回転式キャップ３１の締まり具合や締め具合に応じて容器３の押し付け力を調節することにより、回転式キャップ３１の開栓および閉栓をスムーズに行うことができる。
【００５３】
また、小突出部７は第１の滑り止め部材５に一体成形したので、部品点数の増加を無くして生産性の向上を図ることができる。
【００５４】
もちろん、本実施形態にあっても、第２の実施形態（図４参照）に示したように第１の凹設部２４を設けてもよく、また、第４の実施形態（図９参照）に示したように、第１の凹設部２４の第１の滑り止め部材５に複数の突出部７を設けてもよく、いずれの場合もそれぞれと同様の効果を奏することができる。
【００５５】
また、第３の実施形態（図７参照）に示したように、容器収納部２の底面２２近傍の内周面２８で第１の滑り止め部材５とは反対側に、第２の滑り止め部材５Ａを設けておくことが好ましい。この場合に、その第２の滑り止め部材５Ａを設けた部分に第２の凹設部２５を設けることも好ましい。
【００５６】
[第５の実施形態]
図１１は、本発明の第５の実施形態にかかるカップホルダ１Ｄを示し、第１の実施形態と同一構成部分に同一符号を付して重複する説明を省略して述べるものとする。
【００５７】
本実施形態のカップホルダ１Ｄが第１の実施形態のカップホルダ１と主に異なる点は、容器収納部２を相互に隣接して複数（本実施形態では２つ）備えたことにあり、それら複数の容器収納部２の仕切り壁２６に上端から下方へ凹状の切欠部２７を設けて、この切欠部２７に第３の滑り止め部材５Ｂを設けたことにある。
【００５８】
すなわち、容器収納部２は、１つのホルダ本体２３にそれぞれ隣接して凹設されており、各容器収納部２は、第１の実施形態（図１参照）と同様に、内周面２８および底面２２を備えてほぼ有底筒状に形成される。これら２つの容器収納部２，２は仕切り壁２６によって隔成され、前記切欠部２７は、それぞれの容器収納部２を相互に連通して、収納した容器３の側面を斜めにして押し付けた際に当該側面が当接可能に構成されている。
【００５９】
切欠部２７は、収納した容器３の側面を受容可能な形状であればよく、本実施形態では、下方に向かってやや幅狭となるほぼＵ字状に形成され、切欠部２７の両側および下側に第３の滑り止め部材５Ｂが取り付けられる。もちろん、この第３の滑り止め部材５Ｂは、第１の滑り止め部材５と同様に、容器３の側面が押し付けられて回転させる荷重が加わった際に容器３の回転を抑制する機能を有する。
【００６０】
なお、本実施形態にあっても第３の滑り止め部材５は、ゴム状の弾性材料に限ることなく、硬質であっても大きな摩擦係数を呈する材料であればよい。また、容器収納部２は、２つに限ることなく３つ以上をそれぞれ仕切り壁２６を介して隣接して設けることもできる。
【００６１】
以上の構成により第５の実施形態のカップホルダ１Ｄによれば、複数の容器収納部２を設けたことにより、複数人が使用する容器３や複数種類の容器３を一度に収納できるため、使い勝手を良くすることができる。もちろん、このように複数の容器収納２が設けられた場合にも、切欠部２７に第３の滑り止め部材５Ｂを設けたことにより、第１の実施形態（図３（ｂ）参照）と同様に容器３の回転式キャップ３１を片手で開栓および閉栓することができる。
【００６２】
また、第３の滑り止め部材５Ｂの取り付け部位を、仕切り壁２６の切欠部２７の内側としたので外観上の違和感が無く、見栄えを向上することができる。
【００６３】
[第５の実施形態の変形例]
図１２は、前記第５の実施形態の変形例を示し、この第５の実施形態と同一構成部分に同一符号を付して重複する説明を省略して述べるものとする。
【００６４】
前記第５の実施形態では、カップホルダ１Ｄの切欠部２７が仕切り壁２６のほぼ中央部に設けられているが、本変形例のカップホルダ１Ｅは、切欠部２７を仕切り壁２６の片側に偏って設けた点が第５の実施形態とは異なる。
【００６５】
すなわち、本変形例の切欠部２７は、仕切り壁２６のほぼ中央部から片側（図中左側）に形成され、その切欠部２７の一側２７ａは、隣接した双方の容器収納部２、２の内側面の接線方向に沿った平坦面となり、他側２７ｂは、仕切り壁２６のほぼ中央部からほぼ垂直に下りる下降面となっている。そして、前述した一側２７ａと他側２７ｂ、およびそれら両側２７ａ、２７ｂを所定深さで連結する底面２７ｃとによってＵ字状が形成される。
【００６６】
そして、切欠部２７の一側２７ａおよび他側２７ｂの上端部には、それぞれ帯状に形成した第３の滑り止め部材５Ｂが取り付けられる。このとき、他側２７ｂに取り付けられた第３の滑り止め部材５Ｂは、それの両端部が隣接した容器収納部２、２の内周に所定量入り込むようにして設けられている。なお、本実施形態の第３の滑り止め部材５Ｂにあっても、ゴム状の弾性材料に限ることなく大きな摩擦係数を呈する硬質材料であってもよい。
【００６７】
従って、本変形例のカップホルダ１Ｅによれば、複数の容器収納部２、２が設けられ、かつ、仕切り壁２６に設けた切欠部２７に第３の滑り止め部材５Ｂを設けたので、第５の実施形態のカップホルダ１Ｄと同様の作用効果を奏することができる。
【００６８】
なお、第５の実施形態およびそれの変形例に示したカップホルダ１Ｄ、１Ｅにあっても、第３の実施形態（図７参照）と同様に、容器収納部２の底面２２近傍の内側面で第３の滑り止め部材５Ｂとは反対側に、第２の滑り止め部材５Ａを設けることが好ましい。また、その第２の滑り止め部材５Ａを設けた部分に第２の凹設部２５を設けておくことが好ましい。
【００６９】
更に、カップホルダ１Ｄ、１Ｅは、第３の滑り止め部材５Ｂをゴム状の弾性材料で形成して、第４の実施形態（図９参照）と同様に複数の突出部７を設けておくことが好ましい。
【００７０】
ところで、本発明のカップホルダは第１から第５の実施形態に例をとって説明したが、これら実施形態に限ることなく本発明の要旨を逸脱しない範囲で各種変更が可能である。たとえば、カップホルダの設置場所は、車室内に限定されるものでは無く、自動車以外の乗り物あるいは家屋内の構造物や家具などであってもよい。
【符号の説明】
【００７１】
１，１Ａ，１Ｂ，１Ｃ，１Ｄ，１Ｅ  カップホルダ
３  容器
４  蓋体
５  第１の滑り止め部材
５Ａ  第２の滑り止め部材
５Ｂ  第３の滑り止め部材
６  蓋受部
７  小突出部
２２  底面
２３  ホルダ本体
２４  第１の凹設部
２５  第２の凹設部
２６  仕切り壁
２８  内周面
【図１】
0005617516.tif 000002
【図２】
0005617516.tif 000003
【図３】
0005617516.tif 000004
【図４】
0005617516.tif 000005
【図５】
0005617516.tif 000006
【図６】
0005617516.tif 000007
【図７】
0005617516.tif 000008
【図８】
0005617516.tif 000009
【図９】
0005617516.tif 000010
【図１０】
0005617516.tif 000011
【図１１】
0005617516.tif 000012
【図１２】
0005617516.tif 000013